(57)【特許請求の範囲】
【請求項１】
第１物品が冷蔵保存される第１物品保存領域および第２物品が冷蔵保存される第２物品保存領域を含む冷蔵室と、
前記第１物品保存領域および前記第２物品保存領域にそれぞれ設置される、第１送風装置および第２送風装置と、
前記第１送風装置および前記第２送風装置から送風される冷却空気を、それぞれ前記第１物品保存領域および前記第２物品保存領域内に循環させる、第１エアカーテン装置および第２エアカーテン装置と、
前記第１エアカーテン装置および前記第２エアカーテン装置の吸込口側にそれぞれ設置され、前記第１送風装置および前記第２送風装置から送られてくる前記冷却空気が、前記第１エアカーテン装置および前記第２エアカーテン装置に届いているか否かを直接または間接的に検知する第１検知器および第２検知器とを備え、
前記第１検知器および前記第２検知器のそれぞれの検知結果に基づいて、前記第１送風装置および前記第２送風装置の気流到達距離を制御するように構成されている、冷蔵倉庫。
【請求項２】
前記第１検知器および前記第２検知器は、それぞれ、複数ずつ設けられ、
複数の前記第１検知器同士の検知値の差と、複数の前記第２検知器同士の検知値の差とに基づいて、それぞれ、前記第１送風装置および前記第２送風装置の前記気流到達距離を制御するように構成されている、請求項１に記載の冷蔵倉庫。
【請求項３】
前記第１検知器および前記第２検知器は、それぞれ、前記第１送風装置と前記第１エアカーテン装置との間および前記第２送風装置と前記第２エアカーテン装置との間に設けられており、
前記複数の第１検知器のうちの少なくともいずれか１つおよび前記複数の第２検知器のうちの少なくともいずれか１つは、それぞれ、前記第１エアカーテン装置の吸込口近傍および前記第２エアカーテン装置の吸込口近傍に配置されている、請求項２に記載の冷蔵倉庫。
【請求項４】
前記第１検知器および前記第２検知器は、温度センサまたは風速センサを含み、
前記温度センサまたは前記風速センサの前記検知結果に基づいて、前記第１送風装置および前記第２送風装置の前記気流到達距離を制御するように構成されている、請求項１〜３のいずれか１項に記載の冷蔵倉庫。
【請求項５】
前記第１検知器および前記第２検知器は、それぞれ、第１温度センサおよび第２温度センサであり、
前記第１物品保存領域と前記第２物品保存領域との間の非冷却空間に第３温度センサをさらに備え、
前記第１温度センサと前記第３温度センサとの検知値の差、または、前記第２温度センサと前記第３温度センサとの検知値の差の少なくとも一方が、所定の値以内の場合には、前記第１送風装置または前記第２送風装置の少なくとも一方の前記気流到達距離を減少させるように制御するように構成されている、請求項１〜４のいずれか１項に記載の冷蔵倉庫。
【請求項６】
前記第１送風装置または前記第２送風装置の少なくとも一方は、前記第１送風装置または前記第２送風装置の対応する吹出口からの気流の軌道を調整する吹出風向板を含み、
前記吹出風向板の向き、または、ファンの回転数の少なくとも一方を調整することによって、前記第１送風装置または前記第２送風装置の少なくとも一方の前記気流到達距離を制御するように構成されている、請求項１〜５のいずれか１項に記載の冷蔵倉庫。
【請求項７】
前記第１送風装置と前記第１エアカーテン装置との間、または、前記第２送風装置と前記第２エアカーテン装置との間の少なくとも一方に、補助送風装置をさらに備える、請求項１〜６のいずれか１項に記載の冷蔵倉庫。
【請求項８】
前記第１エアカーテン装置および前記第２エアカーテン装置は、前記第１物品保存領域側または前記第２物品保存領域側に移動可能に構成されており、
前記第１送風装置と前記第１エアカーテン装置との間の距離および前記第２送風装置と前記第２エアカーテン装置との間の距離のそれぞれの変化に対応して、前記第１送風装置および前記第２送風装置の前記気流到達距離を制御するように構成されている、請求項１〜７のいずれか１項に記載の冷蔵倉庫。
【発明の詳細な説明】
【技術分野】
【０００１】
この発明は、冷蔵倉庫に関し、特に、冷蔵室内を隔壁により互いに仕切ることなく複数の領域に熱的に分割する、エアカーテン装置を備える冷蔵倉庫に関する。
【背景技術】
【０００２】
従来、冷蔵室内を隔壁により互いに仕切ることなく複数の領域を熱的に分割する冷蔵倉庫が知られている（たとえば、特許文献１参照）。
【０００３】
上記特許文献１に記載の冷蔵倉庫では、冷蔵室内に、間仕切用エアカーテンユニットが備えられており、間仕切用エアカーテンユニットには、複数の吹出口が設けられている。複数の吹出口は、エアダクトに接続されており、エアダクトは、冷却装置および送風装置に接続されている。冷却装置によって冷却された空気が、送風装置によって吹出口から吹き出されるように構成されている。また、吹出口から吹き出された冷却空気は、床面に設置されている吸込口に吸込まれるように構成されている。吹出口から吸込口に送られる冷却空気の少なくとも一部が領域内を循環することによって、領域内を一定温度に維持するように構成されている。また、吹出口および吸込口は複数設けられているので、使用する吹出口を選択するとともに、それぞれの吹出口から吹き出される空気の冷却温度を設定することによって、冷蔵室内を隔壁により互いに仕切ることなく冷蔵室内を複数の領域に熱的に分割されるように構成されている。
【先行技術文献】
【特許文献】
【０００４】
【特許文献１】実開平２−１１６６６６号公報
【発明の概要】
【発明が解決しようとする課題】
【０００５】
しかしながら、上記特許文献１に記載された冷蔵倉庫では、吹出口から吸込口に送られる冷却空気の少なくとも一部が領域内を循環することによって、領域内を一定温度に維持するように構成されている一方、熱的に分割された領域の大きさ、または、送風装置の出力によっては、空気の循環が所望の通りにならず、冷却空気の流路が所望の通りにならないとともに、領域内の温度分布が不均一になるという問題点が考えられる。
【０００６】
この発明は、上記のような課題を解決するためになされたものであり、この発明の１つの目的は、冷却空気の流路を所望の流路にするとともに、領域内の温度分布を均一にすることが可能な冷蔵倉庫を提供することである。
【課題を解決するための手段】
【０００７】
この発明の第１の局面による冷蔵倉庫は、第１物品が冷蔵保存される第１物品保存領域および第２物品が冷蔵保存される第２物品保存領域を含む冷蔵室と、第１物品保存領域および第２物品保存領域にそれぞれ設置される、第１送風装置および第２送風装置と、第１送風装置および第２送風装置から送風される冷却空気を、それぞれ第１物品保存領域および第２物品保存領域内に循環させる、第１エアカーテン装置および第２エアカーテン装置と、第１エアカーテン装置および第２エアカーテン装置の吸込口側にそれぞれ設置され、第１送風装置および第２送風装置から送られてくる冷却空気が、第１エアカーテン装置および第２エアカーテン装置に届いているか否かを直接または間接的に検知する第１検知器および第２検知器とを備え、第１検知器および第２検知器のそれぞれの検知結果に基づいて、第１送風装置および第２送風装置の気流到達距離を制御するように構成されている。
【０００８】
この発明の第１の局面による冷蔵倉庫では、第１エアカーテン装置および第２エアカーテン装置に届いているか否かを直接または間接的に検知する第１検知器および第２検知器のそれぞれの検知結果に基づいて、第１送風装置および第２送風装置の気流到達距離を制御することによって、第１物品保存領域および第２物品保存領域のそれぞれの大きさに対応した気流到達距離に設定することが可能なので、第１物品保存領域および第２物品保存領域の冷却空気の流路を所望の流路にするとともに、温度分布を均一にすることができる。
【０００９】
上記第１の局面による冷蔵倉庫は、好ましくは、第１検知器および第２検知器は、それぞれ、複数ずつ設けられ、複数の第１検知器同士の検知値の差と、複数の第２検知器同士の検知値の差とに基づいて、それぞれ、第１送風装置および第２送風装置の気流到達距離を制御するように構成されている。このように構成すれば、複数の第１検知器同士および複数の第２検知器同士の検知値を比較することが可能なので、それぞれの検知値の差に基づいて、第１送風装置および第２送風装置の気流到達距離を制御することによって、第１物品保存領域および第２物品保存領域の冷却空気の流路を効率よく所望の流路にするとともに、温度分布を正確に均一にすることができる。
【００１０】
上記第１の局面による冷蔵倉庫は、好ましくは、第１検知器および第２検知器は、それぞれ、第１送風装置と第１エアカーテン装置との間および第２送風装置と第２エアカーテン装置との間に設けられており、第１検知器の少なくともいずれか１つおよび第２検知器の少なくともいずれか１つは、それぞれ、第１エアカーテン装置の吸込口近傍および第２エアカーテン装置の吸込口近傍に配置されている。このように構成すれば、第１エアカーテン装置の吸込口近傍の第１検知器と他の第１検知器との検知値の差、および、第２エアカーテン装置の吸込口近傍の第２検知器と他の第２検知器との検知値の差のそれぞれに基づいて気流到達距離の制御を行うので、第１送風装置および第２送風装置からの気流が、それぞれ、第１エアカーテン装置および第２エアカーテン装置に届くように制御することができる。また、第１物品保存領域および第２物品保存領域の冷却空気の流路をより効率よく所望の流路にするとともに、温度分布をより正確に均一にすることができる。
【００１１】
上記第１の局面による冷蔵倉庫では、好ましくは、第１検知器および第２検知器は、温度センサまたは風速センサを含み、温度または風速の検知結果に基づいて、第１送風装置および第２送風装置の気流到達距離を制御するように構成されている。このように構成すれば、温度または風速が所望の値であるか否かを検知することによって、第１送風装置および第２送風装置それぞれの気流到達距離を制御するとともに検知される温度または風速を制御することが可能である。すなわち、温度を制御することによって、間接的に冷却空気の流路を所望の流路にするとともに温度分布を均一にすることができる。また、風速を制御することによって、直接的に冷却空気の流路を所望の流路にするとともに温度分布を均一にすることができる。
【００１２】
上記第１の局面による冷蔵倉庫では、好ましくは、第１検知器および第２検知器は、それぞれ、第１温度センサおよび第２温度センサであり、第１物品保存領域と第２物品保存領域との間の非冷却空間に第３温度センサをさらに備え、第１温度センサと第３温度センサとの検知値の差、または、第２温度センサと第３温度センサとの検知値の差の少なくとも一方が、所定の値以内の場合には、第１送風装置または第２送風装置の少なくとも一方の気流到達距離を減少させるように制御されるように構成されている。このように構成すれば、第１温度センサと第３温度センサとの検知値の差、または、第２温度センサと第３温度センサとの検知値の差を検知することが可能である。また、第１送風装置または第２送風装置の少なくとも一方からの気流が、非冷却空間に侵食することにより、第１温度センサと第３温度センサとの検知値の差、または、第２温度センサと第３温度センサの検知値の差が、所定の値以下になった場合には、第１送風装置または第２送風装置の気流到達距離を減少させ、冷却空気の流路を所望の流路にするとともに、非冷却空間と第１物品保存領域または第２物品保存領域との間における熱の侵入による温度上昇を抑制することができる。
【００１３】
上記第１の局面による冷蔵倉庫では、好ましくは、第１送風装置または第２送風装置の少なくとも一方は、第１送風装置または第２送風装置の対応する吹出口からの気流の軌道を調整する吹出風向板を含み、吹出風向板の向き、または、ファンの回転数の少なくとも一方を調整することによって、第１送風装置または第２送風装置の少なくとも一方の気流到達距離を制御するように構成されている。このように構成すれば、第１送風装置または第２送風装置の少なくとも一方からの気流の軌道を吹出風向板により調整することによって、第１送風装置または第２送風装置の少なくとも一方の気流到達距離が制御されるので、冷却空気の流路を所望の流路にするとともに、温度分布を均一にすることができる。また、第１送風装置または第２送風装置の少なくとも一方のファンの回転数を調整することによっても、第１送風装置または第２送風装置の少なくとも一方の気流到達距離が制御されるので、冷却空気の流路を所望の流路にするとともに、温度分布を均一にすることができる。
【００１４】
上記第１の局面による冷蔵倉庫では、好ましくは、第１送風装置と第１エアカーテン装置との間、または、第２送風装置と第２エアカーテン装置との間の少なくとも一方に、補助送風装置をさらに備える。このように構成すれば、第１送風装置と第１エアカーテン装置との間、または、第２送風装置と第２エアカーテン装置との間の少なくとも一方に、気流到達を補助する補助送風装置が設けられるので、第１送風装置と第１エアカーテン装置との間、または、第２送風装置と第２エアカーテン装置との間の少なくとも一方の気流到達距離を延長することができる。すなわち、冷蔵倉庫が比較的大きく、第１送風装置または第２送風装置では十分な送風ができない場合でも、補助送風装置により、冷却空気の流路を所望の流路にするとともに、温度分布を均一にすることができる。
【００１５】
上記第１の局面による冷蔵倉庫では、好ましくは、第１エアカーテン装置および第２エアカーテン装置は、第１物品保存領域側または第２物品保存領域側に移動可能に構成されており、第１送風装置と第１エアカーテン装置との間の距離および第２送風装置と第２エアカーテン装置との間のそれぞれの距離の変化に対応して、第１送風装置および第２送風装置の気流到達距離を制御するように構成されている。このように構成すれば、第１エアカーテン装置および第２エアカーテン装置を移動させることによって、第１物品保存領域および第２物品保存領域の大きさが変更された場合でも、第１送風装置と第１エアカーテン装置との間の距離および第２送風装置と第２エアカーテン装置との間の距離のそれぞれの変化に対応して、第１送風装置および第２送風装置の気流到達距離を制御するので、第１物品保存領域および第２物品保存領域内のそれぞれの冷却空気の流路を所望の流路にするとともに、温度分布を均一にすることができる。
【発明の効果】
【００１６】
本発明によれば、上記のように、冷却空気の流路を所望の流路にするとともに、領域内の温度分布を均一にすることが可能な冷蔵倉庫を提供することができる。
【図面の簡単な説明】
【００１７】
【図１】本発明の第１実施形態による冷蔵倉庫の構成を示した断面図である。
【図２】本発明の第１実施形態おける冷蔵倉庫の全体構成を示した上面図である。
【図３】本発明の第１実施形態によるエアカーテン装置移動後の冷蔵倉庫の構成を示した断面図である。
【図４】本発明の第１実施形態おける冷蔵倉庫の温度維持を行うための構成を示した制御ブロック図である。
【図５】本発明の第２実施形態による冷蔵倉庫の構成を示した断面図である。
【図６】本発明の第２実施形態によるエアカーテン移動および吹出風向板を調整後の冷蔵倉庫の構成を示した断面図である。
【図７】本発明の第３実施形態による冷蔵倉庫の構成を示した断面図である。
【図８】本発明の第３実施形態おける冷蔵倉庫の全体構成を示した上面図である。
【図９】本発明の第３実施形態によるエアカーテン移動後の冷蔵倉庫の構成を示した断面図である。
【図１０】本発明の第３実施形態おける冷蔵倉庫の温度維持を行うための構成を示した制御ブロック図である。
【図１１】本発明の第４実施形態による冷蔵倉庫の構成を示した断面図である。
【図１２】本発明の第４実施形態おける冷蔵倉庫の全体構成を示した上面図である。
【図１３】本発明の第４実施形態おける冷蔵倉庫の温度維持を行うための構成を示した制御ブロック図である。
【発明を実施するための形態】
【００１８】
以下、本発明を具体化した実施形態を図面に基づいて説明する。
【００１９】
（第１実施形態）
まず、図１〜図４を参照して、本発明の第１実施形態による冷蔵倉庫１００について説明する。
【００２０】
第１実施形態による冷蔵倉庫１００は、図１に示すように、内部空間１０ａが所定温度に維持された状態で互いに異なる複数種類の物品（商品）を保管することが可能な冷凍冷蔵倉庫である。具体的には、冷蔵倉庫１００は、内部空間１０ａを有する冷蔵室１０を備えている。また、内部空間１０ａは、冷凍食品などの物品１が所定温度で冷凍保存されるための領域１１と、別な食品などの物品２が物品１とは異なる所定温度で冷蔵保存されるための領域１２とによって構成されている。この場合、領域１１は、物品１を冷凍保存するために温度Ｔ１に維持されるとともに、領域１２は、物品２を冷蔵保存するために温度Ｔ２に維持されている。ここで、温度Ｔ１は、温度Ｔ２よりも低い。なお、物品１および物品２は、それぞれ、特許請求の範囲の「第１物品」および「第２物品」の一例である。また、温度Ｔ１および温度Ｔ２は、それぞれ、特許請求の範囲の「第１温度」および「第２温度」の一例である。また、領域１１および領域１２は、それぞれ、特許請求の範囲の「第１物品保存領域」および「第２物品保存領域」の一例である。
【００２１】
ここで、内部空間１０ａは、冷蔵室１０内を物理的に仕切る（区画する）ための隔壁を設けてＸ１側の領域１１とＸ２側の領域１２とに分割されているわけではない。すなわち、領域１１と領域１２との境界領域１０ｂには、断熱性を有する隔壁やその一部が開閉可能な扉などの構造物は設けられていない。したがって、領域１１において物品１に関する作業を行う作業者（荷役者（図示せず））は、境界領域１０ｂを矢印Ｘ２方向に素通りすることにより領域１２に移動して物品２に関する作業を引き続き行うことが可能に構成されている。また、作業者（図示せず）は、領域１２から領域１１へも境界領域１０ｂを素通り可能である。なお、境界領域１０ｂは、特許請求の範囲の「非冷却空間」の一例である。
【００２２】
また、上述のように、冷蔵室１０内において物理的な隔壁を用いて互いに仕切られていない領域１１と領域１２とは、それぞれ、互いに異なる温度Ｔ１および温度Ｔ２からなる冷蔵温度に保たれるように構成されている。すなわち、領域１１と領域１２とは、隔壁を用いることなく温度Ｔ１と温度Ｔ２とに熱的に分割されるように構成されている。
【００２３】
この冷蔵室１０内を熱的に分割するために、第１実施形態では、領域１１および領域１２のそれぞれに、各々が送風機能を有するエアカーテン装置２０およびエアカーテン装置４０が設置されている。エアカーテン装置２０は、冷蔵室１０の床面１４まで吹き下ろされる気流Ｐ１を形成する機能を有するとともに、エアカーテン装置４０は、床面１４まで吹き下ろされる気流Ｐ２を形成する機能を有している。なお、エアカーテン装置２０およびエアカーテン装置４０は、それぞれ、特許請求の範囲の「第１エアカーテン装置」および「第２エアカーテン装置」の一例である。また、気流Ｐ１および気流Ｐ２は、それぞれ、特許請求の範囲の「第１エアカーテン気流」および「第２エアカーテン気流」の一例である。
【００２４】
これにより、境界領域１０ｂにおいては、エアカーテン装置２０からの気流Ｐ１とエアカーテン装置４０からの気流Ｐ２とが共に冷蔵室１０の床面１４まで達するので、領域１１と領域１２との間のＸ方向に沿った熱移動（この場合、温度Ｔ２を有する領域１２から温度Ｔ１を有する領域１１への熱移動）が遮断される。なお、エアカーテン装置２０は、境界領域１０ｂのＸ１側の縁部に対応した天井部１３の下面１３ａに設置されるとともに、エアカーテン装置４０は、境界領域１０ｂのＸ２側の縁部に対応した天井部１３の下面１３ａに設置されている。また、エアカーテン装置２０とエアカーテン装置４０とは、床面１４から同じ高さ位置（Ｚ方向）において境界領域１０ｂを挟み込んで配置されている。
【００２５】
また、図１に示すように、冷蔵室１０内の領域１１には、エアカーテン装置２０に加えて、送風機能とともに領域１１を冷却して温度Ｔ１に保つ冷却機能を有する冷却装置３０が設置されている。同様に、領域１２には、エアカーテン装置４０に加えて、送風機能とともに領域１２を冷却して温度Ｔ２に保つ冷却機能を有する冷却装置５０が設置されている。具体的には、冷却装置３０は、エアカーテン装置２０における冷気循環流Ｇ１を吸い込む吸込口２１よりも上流側（Ｘ１側）に設置されるとともに、冷却装置５０は、エアカーテン装置４０における冷気循環流Ｇ２を吸い込む吸込口４１よりも上流側（Ｘ２側）に設置されている。なお、冷却装置３０および冷却装置５０は、それぞれ、特許請求の範囲の「第１送風装置」および「第２送風装置」の一例である。
【００２６】
これにより、領域１１においては、エアカーテン装置２０と冷却装置３０とを運転して冷蔵室１０内を熱的に分割するための気流Ｐ１を含む冷気循環流Ｇ１が形成される。また、領域１２においては、エアカーテン装置４０と冷却装置５０とを運転して冷蔵室１０内を熱的に分割するための気流Ｐ２を含む冷気循環流Ｇ２が形成されるように構成されている。
【００２７】
ここで、気流（冷気）の流れを説明する。図１および図３に示すように、領域１１においては、冷却装置３０により冷やされて冷却装置３０の吹出口３２から吹き出される冷気が天井部１３の下面１３ａを矢印Ｘ２方向（水平方向）に伝ってエアカーテン装置２０の吸込口２１に吸い込まれる。冷気は向きを変えてエアカーテン装置２０の吹出口２２から気流Ｐ１となって斜め下方向（矢印Ｚ２方向かつ矢印Ｘ１方向）に吹き出される。すなわち、吹出口２２は、吹き出される冷気が真下方向から所定角度だけ領域１１側（Ｘ１側）に向かう気流Ｐ１を形成するような開口形状を有している。その後、冷気（気流Ｐ１）は、床面１４に到達した後、向きを変えてそのほとんどが床面１４を矢印Ｘ１方向に沿って流通され、Ｘ１側の側壁部１５ａ近傍を矢印Ｚ１方向に伝って冷却装置３０の吸込口３１に吸い込まれる。このように、領域１１には、時計回りに大きく循環する冷気循環流Ｇ１が形成される。なお、床面１４に到達した気流Ｐ１の一部は矢印Ｘ２方向にも向きを変えた後、境界領域１０ｂ内で矢印Ｚ１方向に上昇して再び吹出口２２からの冷気に混合される。したがって、境界領域１０ｂ内には小さな渦流Ｑ１（反時計回り）も発生する。
【００２８】
また、領域１２においては、冷却装置５０により冷やされて冷却装置５０の吹出口５２から吹き出される冷気が天井部１３の下面１３ａを矢印Ｘ１方向（水平方向）に伝ってエアカーテン装置４０の吸込口４１に吸い込まれる。冷気は向きを変えてエアカーテン装置４０の吹出口４２から斜め下方向（矢印Ｚ２方向かつ矢印Ｘ２方向）に吹き出される。すなわち、吹出口４２は、吹き出される冷気が真下方向から所定角度だけ領域１２側（Ｘ２側）に向かう気流Ｐ２を形成するような開口形状を有している。その後、冷気（気流Ｐ２）は、床面１４に到達した後、向きを変えてそのほとんどが床面１４を矢印Ｘ２方向に沿って流通され、Ｘ２側の側壁部１５ｂ近傍を矢印Ｚ１方向に伝って冷却装置５０の吸込口５１に吸い込まれる。このように、エアカーテン装置４０と冷却装置５０とが運転されることによって、領域１２には、反時計回りに大きく循環する冷気循環流Ｇ２が形成される。なお、床面１４に到達した気流Ｐ２の一部は矢印Ｘ１方向にも向きを変えた後、境界領域１０ｂ内で矢印Ｚ１方向に上昇して再び吹出口４２からの冷気に混合される。したがって、境界領域１０ｂ内には小さな渦流Ｑ２（時計回り）も発生する。
【００２９】
なお、境界領域１０ｂにおいては、渦流Ｑ１およびＱ２が生じるものの、冷気循環流Ｇ１のうちのエアカーテン装置２０の吹出口２２から吹き下ろされた気流Ｐ１と、冷気循環流Ｇ２のうちのエアカーテン装置４０の吹出口４２から吹き下ろされた気流Ｐ２とが、下方向（矢印Ｚ２方向）に沿ってやや末広がり状に並進するような態様を有する。第１実施形態では、気流Ｐ１と気流Ｐ２とが互いに吸引し合って合流し境界領域１０ｂ内に１つの下降気流が形成されるのが防止されている。また、渦流Ｑ１およびＱ２を生じさせるとともに、気流Ｐ１と気流Ｐ２とが分離されたまま吹き下ろされることによって、領域１１と領域１２とが熱的に分割されるように構成されている。したがって、作業者（図示せず）が境界領域１０ｂを介して領域１１と領域１２との間を自由に往来したとしても、領域１１と領域１２とは、各々の温度（温度Ｔ１およびＴ２）を大きく崩すことなく維持されている。
【００３０】
また、冷蔵室１０内には、領域１１において、冷却装置３０の吹出口３２の近傍およびエアカーテン装置２０の吸込口２１の近傍に、それぞれ、温度センサ６０および温度センサ６１が設けられており、各々は統括制御部７１（図４参照）に電気的に接続されている。また、領域１２において、冷却装置５０の吹出口５２の近傍およびエアカーテン装置４０の吸込口４１の近傍に、それぞれ、温度センサ６２および温度センサ６３が設けられており、各々は統括制御部７１に電気的に接続されている。また、境界領域１０ｂにおいて、温度センサ６４が設けられており、温度センサ６４は、統括制御部７１に電気的に接続されている。なお、温度センサ６０および温度センサ６１は、それぞれ、特許請求の範囲の「第１温度センサ」の一例である。また、温度センサ６２および温度センサ６３は、それぞれ、特許請求の範囲の「第２温度センサ」の一例である。また、温度センサ６４は、特許請求の範囲の「第３温度センサ」の一例である。
【００３１】
また、図１および図３に示すように、エアカーテン装置２０およびエアカーテン装置４０は、それぞれ、カーテン移動レール１９によって移動(図３では、Ｘ２方向への移動)するように構成されている。
【００３２】
また、冷蔵室１０を平面的に見た場合、図２に示すように、領域１１側に設置されたエアカーテン装置２０は、内部空間１０ａを構成する一方側（Ｙ１側）の側壁部１６から他方側（Ｙ２側）の側壁部１７に亘って設置されている。この場合、Ｙ方向が長手方向となった４台のエアカーテン装置２０が天井部１３の下面１３ａにおいてＹ方向に沿って直線的に配置されている。また、領域１１の側壁部１５ａ（Ｘ１側）近傍における天井部１３の下面１３ａ下には、Ｙ方向が長手方向となった２台の冷却装置３０がＹ方向に直線的に配置されている。これにより、２台の冷却装置３０の各々の吹出口３２から吹き出された冷気が４台のエアカーテン装置２０の各々の吸込口２１に吸い込まれるように構成されている。また、冷却装置３０の吹出口３２の近傍（冷却装置３０に対してＸ２側）に２つの温度センサ６０がＹ方向に直線的に配置されている。また、エアカーテン装置２０の吸込口２１の近傍（エアカーテン装置２０に対してＸ１側）に４つの温度センサ６１がＹ方向に直線的に配置されている。なお、領域１２側に設置されたエアカーテン装置４０、冷却装置５０、温度センサ６２および温度センサ６３の台数ならびに配置構成についても、領域１１側と左右対称に構成されている。また、境界領域１０ｂにおいて、２つの温度センサ６４がＹ方向に直線的に配置されている。
【００３３】
また、図２に示すように、領域１１側の側壁部１６（Ｙ１側）には、開閉扉１８ａが設けられるとともに、領域１２側の側壁部１７（Ｙ１側）には、開閉扉１８ｂが設けられている。また、側壁部１６を隔てて、冷蔵室１０の外側には、物品１および物品２を一時的に載置する荷置場１０１が設けられている。
【００３４】
また、冷蔵倉庫１００における冷蔵室１０内の温度維持を行うための制御的な構成としては、図４に示すように、冷蔵倉庫１００の外部に、コントローラ機器７０が設置されている。コントローラ機器７０には、統括制御部７１と、エアカーテン装置制御部７２と、冷却装置制御部７３と、エアカーテン装置制御部７４と、冷却装置制御部７５とが設けられている。ここで、エアカーテン装置制御部７２および７４は、それぞれ、エアカーテン装置２０および４０の運転制御を行う機能を有している。また、冷却装置制御部７３および７５は、それぞれ、冷却装置３０および５０の運転制御を行う機能を有している。
【００３５】
ここで、第１実施形態では、温度センサ６０と温度センサ６１との検知値の差が、所定の値（たとえば、２Ｋ）より大きい場合は、冷却装置制御部７３（図４参照）を制御することによって、冷却装置３０のファンの回転数を増加させるとともに、冷却装置３０の気流到達距離を増加させるように制御されるように構成されている。また、温度センサ６２と温度センサ６３との検知値の差が、所定の値（たとえば、２Ｋ）より大きい場合は、冷却装置制御部７５（図４参照）を制御することによって、冷却装置５０のファンの回転数を増加させることによって、冷却装置５０の気流到達距離を増加させるように制御されるように構成されている。たとえば、図３に示すように、冷却装置３０とエアカーテン装置２０との距離が遠い場合、冷却装置３０の送風能力によっては、冷気循環流Ｇ１がショートサーキットを起こし、温度センサ６１の検知する温度が上昇することがある。温度センサ６１の温度上昇を抑制するために、冷却装置３０のファンの回転数を増加させるとともに、冷気循環流Ｇ１の到達距離を増加するように制御されるように構成されている。
【００３６】
また、第１実施形態では、温度センサ６０と温度センサ６１との検知値の差、および、温度センサ６０と温度センサ６４との検知値の差が、それぞれ、所定の値（たとえば、２Ｋ）以内である場合は、冷却装置制御部７３（図４参照）を制御することによって、冷却装置３０のファンの回転数を減少させるとともに、冷却装置３０の気流到達距離を減少させるように制御されるように構成されている。また、温度センサ６２と温度センサ６３との検知値の差、および、温度センサ６２と温度センサ６４との検知値の差が、それぞれ、所定の値（たとえば、２Ｋ）以内である場合は、冷却装置制御部７５（図４参照）を制御することによって、冷却装置５０のファンの回転数を減少させるとともに、冷却装置５０の気流到達距離を減少させるように制御されるように構成されている。たとえば、図３に示すように、冷却装置５０とエアカーテン装置４０との距離が近い場合、冷却装置５０の送風能力によっては、冷気循環流Ｇ２がエアカーテン気流Ｐ２に衝突することによって、領域１２と境界領域１０ｂとの間で空気が合流するとともに、領域１２の温度が上昇することがある。領域１２の温度上昇を抑制するために、冷却装置５０のファンの回転数を減少させるとともに、冷気循環流Ｇ２の到達距離を減少するように制御されるように構成されている。
【００３７】
第１実施形態では、以下のような効果を得ることができる。
【００３８】
第１実施形態では、上記のように、物品１が冷蔵保存される領域１１および物品２が冷蔵保存される領域１２を含む冷蔵室１０と、領域１１および領域１２にそれぞれ設置される、冷却装置３０および冷却装置５０と、冷却装置３０および冷却装置５０からそれぞれ送風される冷気循環流Ｇ１および冷気循環流Ｇ２を、それぞれ領域１１および領域１２内に循環させる、エアカーテン装置２０およびエアカーテン装置４０と、エアカーテン装置２０の吸込口２１側およびエアカーテン装置４０の吸込口４１側にそれぞれ設置され、冷却装置３０および冷却装置５０からそれぞれ送られてくる冷気循環流Ｇ１および冷気循環流Ｇ２が、エアカーテン装置２０およびエアカーテン装置４０に届いているか否かを直接または間接的に検知する温度センサ６１および温度センサ６３とを備え、温度センサ６１および温度センサ６３のそれぞれの検知結果に基づいて、冷却装置３０および冷却装置５０の気流到達距離を制御するように構成する。これにより、エアカーテン装置２０およびエアカーテン装置４０に届いているか否かを直接または間接的に検知する温度センサ６１および温度センサ６３のそれぞれの検知結果に基づいて、冷却装置３０および冷却装置５０の気流到達距離を制御することによって、領域１１および領域１２のそれぞれの大きさに対応した気流到達距離に設定することが可能なので、領域１１の冷気循環流Ｇ１および領域１２の冷気循環流Ｇ２それぞれの流路を所望の流路にするとともに、温度分布を均一にすることができる。
【００３９】
また、第１実施形態では、温度センサ６０と温度センサ６１との検知値の差と、温度センサ６２と温度センサ６３との検知値の差とに基づいて、それぞれ、冷却装置３０および冷却装置５０の気流到達距離を制御するように構成する。これにより、温度センサ６０と温度センサ６１との検知値および温度センサ６２と温度センサ６３との検知値を比較することが可能なので、それぞれの検知値の差に基づいて、冷却装置３０および冷却装置５０の気流到達距離を制御することによって、領域１１の冷気循環流Ｇ１および領域１２の冷気循環流Ｇ２それぞれの流路を効率よく所望の流路にするとともに、温度分布を正確に均一にすることができる。
【００４０】
また、第１実施形態では、温度センサ６１および温度センサ６３を、それぞれ、エアカーテン装置２０の吸込口２１近傍およびエアカーテン装置４０の吸込口４１近傍に配置する。これにより、エアカーテン装置２０の吸込口２１近傍の温度センサ６１と温度センサ６０との検知値の差、および、エアカーテン装置４０の吸込口４１近傍の温度センサ６３と温度センサ６２との検知値の差のそれぞれに基づいて、気流到達距離の制御をするので、冷却装置３０および冷却装置５０からの気流が、それぞれ、エアカーテン装置２０およびエアカーテン装置４０に届くように制御することができる。また、領域１１の冷気循環流Ｇ１および領域１２の冷気循環流Ｇ２それぞれの流路をより効率よく所望の流路にするとともに、温度分布をより正確に均一にすることができる。
【００４１】
また、第１実施形態では、温度センサ６０〜６４による温度の検知結果に基づいて、冷却装置３０および冷却装置５０の気流到達距離を制御するように構成する。これにより、温度が所望の値であるか否かを検知することが可能なので、冷却装置３０および冷却装置５０それぞれの気流到達距離を制御するとともに検知される温度を制御することによって、間接的に冷気循環流Ｇ１および冷気循環流Ｇ２それぞれの流路を所望の流路にするとともに温度分布を均一にすることができる。
【００４２】
また、第１実施形態では、温度センサ６０と温度センサ６４との検知値の差、または、温度センサ６２と温度センサ６４との検知値の差の少なくとも一方が、所定の値以内の場合には、冷却装置３０または冷却装置５０の少なくとも一方の気流到達距離を減少させるように制御されるように構成する。これにより、温度センサ６０と温度センサ６４との検知値の差、または、温度センサ６２と温度センサ６４との検知値の差を検知することが可能である。また、冷却装置３０または冷却装置５０の少なくとも一方からの気流が境界領域１０ｂに侵食することにより、温度センサ６０と温度センサ６４との検知値の差、または、温度センサ６２と温度センサ６４との検知値の差の少なくとも一方が、所定の値以下になった場合には、冷却装置３０または冷却装置５０の気流到達距離を減少させ、冷気循環流Ｇ１または冷気循環流Ｇ２それぞれの流路を所望の流路にするとともに、境界領域１０ｂと領域１１または領域１２との間における熱の侵入による温度上昇を抑制することができる。
【００４３】
また、第１実施形態では、冷却装置３０とエアカーテン装置２０との間の距離および冷却装置５０とエアカーテン装置４０との間のそれぞれの距離の変化に対応して、冷却装置３０および冷却装置５０の気流到達距離を制御するように構成する。これにより、エアカーテン装置２０およびエアカーテン装置４０を移動させることによって、領域１１および領域１２の大きさが変更された場合でも、冷却装置３０とエアカーテン装置２０との間の距離および冷却装置５０とエアカーテン装置４０との間の距離のそれぞれの変化に対応して、冷却装置３０および冷却装置５０の気流到達距離を制御するので、領域１１の冷気循環流Ｇ１および領域１２の冷気循環流Ｇ２それぞれの流路を所望の流路にするとともに、温度分布を均一にすることができる。
【００４４】
（第２実施形態）
次に、図４〜図６を参照して、第２実施形態について説明する。この第２実施形態では、上記第１実施形態に加えて、冷却装置２３０および冷却装置２５０がそれぞれ、冷気循環流Ｇ１および冷気循環流Ｇ２の吹出される軌道を調整する、吹出風向板２３３および吹出風向板２５３を含む例について説明する。なお、また、冷却装置２３０および冷却装置２５０は、それぞれ、特許請求の範囲の「第１送風装置」および「第２送風装置」の一例である。図中において、上記第１実施形態と同様の構成には、第１実施形態と同じ符号を付して図示している。
【００４５】
図５に示すように、冷蔵室１０内の領域１１には、エアカーテン装置２０に加えて、送風機能とともに領域１１を冷却して温度Ｔ１に保つ冷却機能を有する冷却装置２３０が設置されている。同様に、領域１２には、エアカーテン装置４０に加えて、送風機能とともに領域１２を冷却して温度Ｔ２に保つ冷却機能を有する冷却装置２５０が設置されている。具体的には、冷却装置２３０は、エアカーテン装置２０における冷気循環流Ｇ１を吸い込む吸込口２１よりも上流側（Ｘ１側）に設置されるとともに、冷却装置２５０は、エアカーテン装置４０における冷気循環流Ｇ２を吸い込む吸込口４１よりも上流側（Ｘ２側）に設置されている。
【００４６】
ここで、第２実施形態では、図５および図６に示すように、冷却装置２３０は吹出風向板２３３を含み、冷却装置２５０は吹出風向板２５３を含むように構成されている。吹出風向板２３３および吹出風向板２５３は、それぞれ、冷却装置２３０および冷却装置２５０から吹き出される冷気循環流Ｇ１および冷気循環流Ｇ２のＺ方向の軌道を調整するように構成されている。具体的には、図６に示すように、冷却装置２３０の吹出口２３２から吹出される冷機循環流Ｇ１は、吹出風向板２３３をＺ１方向に傾けることによって、吹出風向板２３３が天井面１３ａに平行である場合に比べて、天井面１３ａに接近した状態でエアカーテン装置２０の方向へ進む。また、冷却装置２５０の吹出口２５２から吹出される冷機循環流Ｇ２は、吹出風向板２５３を、Ｚ２方向に傾けることによって、吹出風向板２５３が天井面１３ａに平行である場合に比べて、天井面１３ａから離れた状態でエアカーテン装置４０の方向へ進む。
【００４７】
また、冷蔵倉庫２００における冷蔵室１０内の温度維持を行うための制御的な構成としては、図４に示すように、冷蔵倉庫２００の外部に、コントローラ機器２７０が設置されている。コントローラ機器２７０には、統括制御部２７１と、エアカーテン装置制御部７２と、冷却装置制御部２７３と、エアカーテン装置制御部７４と、冷却装置制御部２７５とが設けられている。ここで、冷却装置制御部２７３および２７５は、それぞれ、冷却装置２３０および２５０の運転制御を行う機能を有している。また、吹出風向板２３３（図５および図６参照）および吹出風向板２５３（図５および図６参照）は、それぞれ、冷却装置制御部２７３および冷却装置制御部２７５によって制御されるように構成されている。
【００４８】
ここで、気流（冷気）の流れを説明する。図５に示すように、領域１１においては、冷却装置２３０により冷やされて冷却装置２３０の吹出口２３２から吹き出される冷気が天井部１３の下面１３ａを矢印Ｘ２方向（水平方向）に伝ってエアカーテン装置２０の吸込口２１に吸い込まれる。冷気は向きを変えてエアカーテン装置２０の吹出口２２から気流Ｐ１となって斜め下方向（矢印Ｚ２方向かつ矢印Ｘ１方向）に吹き出される。すなわち、吹出口２２は、吹き出される冷気が真下方向から所定角度だけ領域１１側（Ｘ１側）に向かう気流Ｐ１を形成するような開口形状を有している。その後、冷気（気流Ｐ１）は、床面１４に到達した後、向きを変えてそのほとんどが床面１４を矢印Ｘ１方向に沿って流通され、Ｘ１側の側壁部１５ａ近傍を矢印Ｚ１方向に伝って冷却装置２３０の吸込口２３１に吸い込まれる。このように、領域１１には、時計回りに大きく循環する冷気循環流Ｇ１が形成される。また、図６に示すように、冷却装置２３０とエアカーテン装置２０との間の距離が遠い場合は、吹出風向板２３３をＺ１方向に傾けることによって、コアンダ効果の影響により冷気循環流Ｇ１の到達距離を大きくするとともに、冷気循環流Ｇ１のショートサーキットを抑制するように制御されるように構成されている。
【００４９】
また、図５に示すように、領域１２においては、冷却装置２５０により冷やされて冷却装置２５０の吹出口２５２から吹き出される冷気が天井部１３の下面１３ａを矢印Ｘ１方向（水平方向）に伝ってエアカーテン装置４０の吸込口４１に吸い込まれる。冷気は向きを変えてエアカーテン装置４０の吹出口４２から斜め下方向（矢印Ｚ２方向かつ矢印Ｘ２方向）に吹き出される。すなわち、吹出口４２は、吹き出される冷気が真下方向から所定角度だけ領域１２側（Ｘ２側）に向かう気流Ｐ２を形成するような開口形状を有している。その後、冷気（気流Ｐ２）は、床面１４に到達した後、向きを変えてそのほとんどが床面１４を矢印Ｘ２方向に沿って流通され、Ｘ２側の側壁部１５ｂ近傍を矢印Ｚ１方向に伝って冷却装置２５０の吸込口２５１に吸い込まれる。このように、エアカーテン装置４０と冷却装置２５０とが運転されることによって、領域１２には、反時計回りに大きく循環する冷気循環流Ｇ２が形成される。また、図６に示すように、冷却装置２５０とエアカーテン装置４０との間の距離が近い場合は、吹出風向板２５３をＺ２方向に傾けることによって、コアンダ効果の影響を抑制するとともに、冷気循環流Ｇ２の到達距離を減少させるように制御されるように構成されている。
【００５０】
なお、第２実施形態のその他の構成は、上記第１実施形態と同様である。
【００５１】
第２実施形態では、以下のような効果を得ることができる。
【００５２】
第２実施形態では、上記のように、冷却装置２３０は、吹出風向板２３３を含み、吹出風向板２３３の向き、または、ファンの回転数の少なくとも一方を調整することによって、冷却装置２３０の気流到達距離を制御するように構成する。これにより、冷却装置２３０からの気流の軌道を、吹出風向板２３３によって調整することによって、冷却装置２３０の気流到達距離が制御されるので、冷気循環流Ｇ１の流路を所望の流路にするとともに、温度分布を均一にすることができる。
【００５３】
また、第２実施形態では、上記のように、冷却装置２５０は、吹出風向板２５３を含み、吹出風向板２５３の向き、または、ファンの回転数の少なくとも一方を調整することによって、冷却装置２５０の気流到達距離を制御するように構成する。これにより、冷却装置２５０からの気流の軌道を、それぞ吹出風向板２３３および吹出風向板２５３によって調整することによって、冷却装置２５０の気流到達距離が制御されるので、冷気循環流Ｇ２の流路を所望の流路にするとともに、温度分布を均一にすることができる。
【００５４】
なお、第２実施形態のその他の効果は、上記第１実施形態と同様である。
【００５５】
（第３実施形態）
次に、図７〜図１０を参照して、第３実施形態について説明する。この第３実施形態では、温度に基づいて制御される上記第１実施形態と異なり、風速に基づいて制御される例について説明する。なお、図中において、上記第１実施形態と同様の構成には、第１実施形態と同じ符号を付して図示している。
【００５６】
図７〜図９に示すように、冷蔵室１０内には、領域１１において、冷却装置３０の吹出口３２の近傍およびエアカーテン装置２０の吸込口２１の近傍に、それぞれ、風速センサ８０および風速センサ８１とが設けられており、各々は統括制御部３７１（図１０参照）に電気的に接続されている。また、領域１２において、冷却装置５０の吹出口５２の近傍およびエアカーテン装置４０の吸込口４１の近傍に、それぞれ、風速センサ８２および風速センサ８３とが設けられており、各々は統括制御部３７１に電気的に接続されている。
【００５７】
また、冷蔵室１０を平面的に見た場合、図８に示すように、冷却装置３０の吹出口３２の近傍（冷却装置３０に対してＸ２側）に２つの風速センサ８０がＹ方向に直線的に配置されている。また、エアカーテン装置２０の吸込口２１の近傍（エアカーテン装置に対してＸ１側）に４つの風速センサ８１がＹ方向に直線的に配置されている。なお、領域１２側に設置された風速センサ８２および風速センサ８３の台数ならびに配置構成についても、領域１１側と左右対称に構成されている。
【００５８】
ここで、第３実施形態では、風速センサ８０、風速センサ８１、風速センサ８２および風速センサ８３との検知値がそれぞれ所定の値に近づくように、冷却装置３０および冷却装置５０のファンの回転数を調整することによって、冷却装置３０および冷却装置５０の気流到達距離を制御するように構成されている。具体的には、風速センサ８０または風速センサ８１の少なくとも一方の検知値が所定の値よりも大きい場合には、冷却装置３０のファンの回転数を減少させることによって、気流到達距離を減少させるように制御される。たとえば、図９に示すように、冷却装置３０とエアカーテン装置２０との距離が遠い場合は、冷却装置３０の送風能力によっては、冷気循環流Ｇ１がショートサーキットを起こし、風速センサ８０または風速センサ８１の少なくとも一方の検知する風速が想定より小さくなることがある。風速センサ８０または風速センサ８１の少なくとも一方の風速を増加させるために、冷却装置３０のファンの回転数を増加させるとともに、冷気循環流Ｇ１の到達距離を増加するように制御されるように構成されている。
【００５９】
また、風速センサ８０または風速センサ８１の少なくとも一方の検知値がそれぞれの所定の値よりも小さい場合には、冷却装置３０のファンの回転数を増加させることによって、気流到達距離を増加させるように制御される。また、風速センサ８２または風速センサ８３の少なくとも一方の検知値がそれぞれの所定の値よりも大きい場合には、冷却装置５０のファンの回転数を減少させることによって、気流到達距離を減少させるように制御される。また、風速センサ８２または風速センサ８３の少なくとも一方の検知値がそれぞれの所定の値よりも小さい場合には、冷却装置５０のファンの回転数を増加させることによって、気流到達距離を増加させるように制御される。たとえば、図９に示すように、冷却装置５０とエアカーテン装置４０との距離が近い場合は、冷却装置５０の送風能力によっては、風速センサ８２または風速センサ８３の少なくとも一方の検知する風速が想定より大きくなることがある。風速センサ８２または風速センサ８３の少なくとも一方の風速を減少させるために、冷却装置５０のファンの回転数を減少させるとともに、冷気循環流Ｇ１の到達距離を増加するように制御されるように構成されている。
【００６０】
なお、第３実施形態による冷蔵倉庫３００のその他の構成は、上記第１実施形態と同様である。
【００６１】
第３実施形態では、以下のような効果を得ることができる。
【００６２】
第３実施形態では、上記のように、風速センサ８０〜８４による風速の検知結果に基づいて、冷却装置３０および冷却装置５０の気流到達距離を制御するように構成する。これにより、風速が所望の値であるか否かを検知することが可能なので、冷却装置３０および冷却装置５０それぞれの気流到達距離を制御するとともに、検知される風速を制御することによって、直接的に冷気循環流Ｇ１および冷気循環流Ｇ２それぞれの流路を所望の流路にするとともに温度分布を均一にすることができる。
【００６３】
なお、第３実施形態のその他の効果は、上記第１実施形態と同様である。
【００６４】
（第４実施形態）
次に、図１１〜図１３を参照して、第４実施形態について説明する。この第４実施形態では、上記第１実施形態の構成に加えて、冷却装置３０とエアカーテン装置２０との間、および、冷却装置５０とエアカーテン装置４０との間に、それぞれ、補助送風装置４３０および補助送風装置４５０をさらに設けた構成の例について説明する。なお、図中において、上記第１実施形態と同様の構成には、第１実施形態と同じ符号を付して図示している。
【００６５】
図１１および図１２に示すように、冷蔵室１０内の領域１１において、冷却装置３０とエアカーテン装置２０との間に、補助送風装置４３０が設けられている。また、冷蔵室１０内の領域１２において、冷却装置５０とエアカーテン装置４０との間に、補助送風装置４５０が設けられている。具体的には、補助送風装置４３０は、エアカーテン装置２０における冷気循環流Ｇ１を吸い込む吸込口２１よりも上流側（Ｘ１側）に設置されるとともに、冷却装置３０における冷気循環流Ｇ１を吹き出す吹出口３２よりも下流側（Ｘ２側）に設置される。また、補助送風装置４５０は、エアカーテン装置４０における冷気循環流Ｇ２を吸い込む吸込口４１よりも上流側（Ｘ２側）に設置されているとともに、冷却装置５０における冷気循環流Ｇ２を吹き出す吹出口５２よりも下流側（Ｘ１側）に設置される。
【００６６】
これにより、領域１１においては、エアカーテン装置２０と冷却装置３０と補助送風装置４３０とを運転して冷蔵室１０内を熱的に分割するための気流Ｐ１を含む冷気循環流Ｇ１が形成される。また、領域１２においては、エアカーテン装置４０と冷却装置５０と補助送風装置４５０とを運転して冷蔵室１０内を熱的に分割するための気流Ｐ２を含む冷気循環流Ｇ２が形成されるように構成されている。
【００６７】
ここで、気流（冷気）の流れを説明する。図１１に示すように、領域１１においては、冷却装置３０により冷やされて冷却装置３０の吹出口３２から吹き出される冷気が天井部１３の下面１３ａを矢印Ｘ２方向（水平方向）に伝って補助送風装置４３０の吸込口４３１に吸い込まれる。冷気は、補助送風装置４３０の吹出口４３２から吹き出された後に、天井部１３の下面１３ａを矢印Ｘ２方向（水平方向）に伝ってエアカーテン装置２０の吸込口２１に吸い込まれる。
【００６８】
また、領域１２においては、冷却装置５０により冷やされて冷却装置５０の吹出口５２から吹き出される冷気が天井部１３の下面１３ａを矢印Ｘ１方向（水平方向）に伝って補助送風装置４５０の吸込口４５１に吸い込まれる。冷気は、補助送風装置４５０の吹出口４５２から吹き出された後に、天井部１３の下面１３ａを矢印Ｘ１方向（水平方向）に伝ってエアカーテン装置４０の吸込口４１に吸い込まれる。
【００６９】
また、冷蔵室１０内には、領域１１において、補助送風装置４３０の吹出口４３２の近傍およびエアカーテン装置２０の吸込口２１の近傍に、それぞれ、温度センサ４６０および温度センサ６１とが設けられており、各々は統括制御部４７１（図１３参照）に電気的に接続されている。また、領域１２において、補助送風装置４５０の吹出口４５２の近傍およびエアカーテン装置４０の吸込口４１の近傍に、それぞれ、温度センサ４６２および温度センサ６３とが設けられており、各々は統括制御部４７１に電気的に接続されている。また、境界領域１０ｂにおいて、温度センサ６４が設けられており、温度センサ６４は、統括制御部４７１に電気的に接続されている。
【００７０】
また、冷蔵室１０を平面的に見た場合、図１２に示すように、領域１１において、冷却装置３０からＸ２方向に距離Ｌ１の箇所の天井部１３の下面１３ａ下には、Ｙ方向が長手方向となった２台の補助送風装置４３０がＹ方向に直線的に配置されている。これにより、２台の冷却装置３０の各々の吹出口３２から吹き出された冷気が、２台の補助送風装置４３０の各々の吸込口４３１に吸い込まれる。さらに、２台の補助送風装置４３０の各々の吹出口４３２から吹き出された冷気が、４台のエアカーテン装置２０各々の吸込口２１に吸い込まれるように構成されている。また、補助送風装置４３０の吹出口４３２の近傍（補助送風装置４３０に対してＸ２側）に２つの温度センサ４６０がＹ方向に直線的に配置されている。なお、領域１２側に設置された補助送風装置４５０および温度センサ４６２のそれぞれの台数ならびに配置構成についても、領域１１側と左右対称に構成されている。
【００７１】
また、冷蔵倉庫４００における冷蔵室１０内の温度維持を行うための制御的な構成としては、図１３に示すように、冷蔵倉庫４００の外部に、コントローラ機器４７０が設置されている。コントローラ機器４７０には、統括制御部４７１と、エアカーテン装置制御部７２と、冷却装置制御部７３と、補助送風装置制御部７６と、エアカーテン装置制御部７４と、冷却装置制御部７５と、補助送風装置制御部７７とが設けられている。ここで、補助送風装置制御部７６および補助送風装置制御部７７は、それぞれ、補助送風装置４３０および補助送風装置４５０の運転制御を行う機能を有している。
【００７２】
ここで、第４実施形態では、温度センサ６１と温度センサ４６０との検知値の差が、所定の値（たとえば、２Ｋ）より大きい場合は、補助送風装置制御部７６（図１３参照）を制御することによって、補助送風装置４３０のファンの回転数を増加させるとともに、補助送風装置４３０（冷却装置３０）の気流到達距離を増加させるように制御されるように構成されている。また、温度センサ６３と温度センサ４６２との検知値の差が、所定の値（たとえば、２Ｋ）より大きい場合は、補助送風装置制御部７７（図１３参照）を制御することによって、補助送風装置４５０のファンの回転数を増加させることによって、補助送風装置４５０（冷却装置５０）の気流到達距離を増加させるように制御されるように構成されている。
【００７３】
また、第４実施形態では、温度センサ６１と温度センサ４６０との検知値の差、および、温度センサ６４と温度センサ４６０との検知値の差が、それぞれ、所定の値（たとえば、２Ｋ）以内である場合は、補助送風装置制御部７６（図１３参照）を制御することによって、補助送風装置４３０のファンの回転数を減少させるとともに、補助送風装置４３０（冷却装置３０）の気流到達距離を減少させるように制御されるように構成されている。また、温度センサ６３と温度センサ４６２との検知値の差、および、温度センサ６４と温度センサ４６２との検知値の差が、それぞれ、所定の値（たとえば、２Ｋ）以内である場合は、補助送風装置制御部７７（図１３参照）を制御することによって、補助送風装置４５０のファンの回転数を減少させるとともに、補助送風装置４５０（冷却装置５０）の気流到達距離を減少させるように制御されるように構成されている。
【００７４】
なお、第４実施形態による冷蔵倉庫４００のその他の構成は、上記第１実施形態と同様である。
【００７５】
第４実施形態では、以下のような効果を得ることができる。
【００７６】
第４実施形態では、上記のように、冷却装置３０とエアカーテン装置２０との間、および、冷却装置５０とエアカーテン装置４０との間のそれぞれに、補助送風装置４３０および補助送風装置４５０を備えるように構成する。これにより、冷却装置３０とエアカーテン装置２０との間、および、冷却装置５０とエアカーテン装置４０との間に、それぞれ、気流到達を補助する補助送風装置４３０および補助送風装置４５０が設けられるので、冷却装置３０とエアカーテン装置２０との間、および、冷却装置５０とエアカーテン装置４０との間の気流到達距離を延長することができる。すなわち、冷蔵倉庫１００が比較的大きく、冷却装置３０および冷却装置５０では十分な送風ができない場合でも、補助送風装置４３０および補助送風装置４５０により、冷気循環流Ｇ１および冷気循環流Ｇ２それぞれの流路を所望の流路にするとともに、温度分布を均一にすることができる。
【００７７】
なお、第４実施形態のその他の効果は、上記第１実施形態と同様である。
【００７８】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００７９】
たとえば、上記第１〜第４実施形態では、天井部１３の下面１３ａ下に冷却装置３０および冷却装置５０を取り付けた例を示したが、本発明はこれに限られない。冷却装置３０および冷却装置５０を、冷蔵室１０における側壁部１５ａおよび側壁部１５ｂに取り付けてもよい。
【００８０】
また、上記第１〜第４実施形態では、それぞれの領域内に、４台のエアカーテン装置と２台の冷却装置とを設置する例について示したが、本発明はこれに限られない。上記以外の台数の組み合わせでもよい。
【００８１】
また、上記第１、第２、および第４実施形態では、境界領域１０ｂに温度センサを２つ設置する例を示したが、本発明はこれに限られない。２つ以外の台数であってもよい。
【００８２】
また、上記第１〜第４実施形態では、領域１１の方が領域１２よりも温度が高い例を示したが、本発明はこれに限られない。領域１２の方が領域１１よりも温度が高くてもよい。
【００８３】
また、上記第１〜第４実施形態のそれぞれにおいて、冷却装置のファンの回転数、吹出風向板の角度または補助送風装置のうちのいずれか１つによって、気流到達距離を制御する例を示したが、本発明はこれに限られない。冷却装置のファンの回転数、吹出風向板の角度または補助送風装置のうちの少なくとも２つ以上を組み合わせることによって、気流到達距離を制御してもよい。
【００８４】
また、上記第１〜第４実施形態では、２台の冷却装置３０（５０）および４台のエアカーテン装置２０（４０）の各々に温度センサ（風速センサ）を設ける例について示したが、本発明はこれに限られない。１つの温度センサを代表となる冷却装置の吹出口近傍およびエアカーテン装置の吸込口近傍に設置して一斉（同様）に制御するように構成してもよい。
【００８５】
また、上記第３実施形態では、風速センサによって検知される風速に基づいて制御する例を示したが、本発明はこれに限られない。風量を検知して制御してもよい。
【符号の説明】
【００８６】
１  物品（第１物品）
２  物品（第２物品）
１０  冷蔵室
１０ｂ  境界領域（非冷却空間）
１１  領域（第１物品保存領域）
１２  領域（第２物品保存領域）
２０  エアカーテン装置（第１エアカーテン装置）
２１、４１  吸込口
３０、２３０  冷却装置（第１送風装置）
３２、５２、２３２、２５２  吹出口
４０  エアカーテン装置（第２エアカーテン装置）
５０、２５０  冷却装置（第２送風装置）
６０、６１、４６０  温度センサ（第１温度センサ）
６２、６３、４６２  温度センサ（第２温度センサ）
６４  温度センサ（第３温度センサ）
８０、８１、８２、８３  風速センサ
１００、２００、３００、４００  冷蔵倉庫
２３３、２５３  吹出風向板
４３０、４５０  補助送風装置
Ｇ１、Ｇ２  冷気循環流（冷却空気）
【図１】
0006511991.tif 000002
【図２】
0006511991.tif 000003
【図３】
0006511991.tif 000004
【図４】
0006511991.tif 000005
【図５】
0006511991.tif 000006
【図６】
0006511991.tif 000007
【図７】
0006511991.tif 000008
【図８】
0006511991.tif 000009
【図９】
0006511991.tif 000010
【図１０】
0006511991.tif 000011
【図１１】
0006511991.tif 000012
【図１２】
0006511991.tif 000013
【図１３】
0006511991.tif 000014